(57)【特許請求の範囲】
【請求項１】
底部と底部の一方の相対する土手部にヒンジ連結された一方の相対する側壁と底部のもう一方の相対する土手部にヒンジ連結されたもう一方の相対する側壁とから構成されている折り畳みコンテナーにおいて、土手部の水平部に形成された長孔と一対の連結孔、内側垂直部に形成された一対の縦長の垂直スリット及び舌片に形成された垂直側壁持ち上がり防止用フックとからなる底部に配設された第１雌ヒンジ部材に、下端フランジに垂下された一対の支持片と架橋ブロックとからなる側壁に配設された雄ヒンジ部材を連結するとともに、土手部の水平部に形成された長孔と一対の連結孔、内側垂直部に形成された一対の縦長の垂直スリット及び舌片に形成された水平側壁持ち上がり防止用フックとからなる底部に配設された第２雌ヒンジ部材に、下端フランジに垂下された一対の支持片と架橋ブロックとからなる側壁に配設された雄ヒンジ部材を連結することにより、底部に側壁をヒンジ連結されている特徴とする折り畳みコンテナー。
【発明の詳細な説明】
【技術分野】
【０００１】
本発明は、底部と、底部の一方の相対する土手部にヒンジ連結された一方の相対する側壁と、底部のもう一方の相対する土手部にヒンジ連結されたもう一方の相対する側壁とから構成されている折り畳みコンテナーに関するものであり、箱型に組み立てられた状態から、一方の相対する側壁を底部に重なるように倒し、次いで、もう一方の相対する側壁を、先に倒された一方の相対する側壁に重なるように倒すことにより、折り畳むことができるように構成されている。
【背景技術】
【０００２】
側壁に形成された雄ヒンジ部材が、底部の土手部に形成された雌ヒンジ部材に対して、上下方向に自由に移動できないタイプ、換言すれば、雄ヒンジ部材と雌ヒンジ部材とによるヒンジ連結部が、上下方向に、実質的に移動できないタイプの折り畳みコンテナーにおいて、一方の相対する側壁を倒した際に、側壁の先端部が互いに重なるように構成されている場合には、先に倒された側壁の上に重ねられる側壁が、ヒンジ連結部を支点として、傾斜して倒されることになる。このように、側壁が、傾斜して倒されるように構成された折り畳みコンテナーにおいては、折り畳まれた状態における折り畳みコンテナーの高さが高くなり、従って、折り畳みコンテナーの収容効率が低下することになる。
【０００３】
上述した課題を解決するために、底部の土手部に形成された雌ヒンジ部の凹部の深さを深くして、底部の土手部に形成された雌ヒンジ部に対して、側壁に形成された雄ヒンジ部材が、雌ヒンジ部の凹部内を、上下方向に自由に移動できるようにしたタイプ、換言すれば、雄ヒンジ部材と雌ヒンジ部材とによるヒンジ連結部が、上下方向に、移動可能なタイプの折り畳みコンテナーが知られているが、このようなタイプの折り畳みコンテナーが箱型に組み立てられた際には、ヒンジ連結部が、上下方向に移動可能であるために、作業者が、側壁を持って、箱型に組み立てられた折り畳みコンテナーを持ち上げようとすると、側壁が、底部から持ち上がるという問題があった。
【０００４】
上述した課題を解決するために、本出願人は、本出願人の先の出願である特許文献１において、側壁に形成された雄ヒンジ部材に、側壁の回動支点となるヒンジブロックと箱型に組み立てられた状態における側壁の持ち上がりを阻止するための係合ブロックとを形成した折り畳みコンテナーを提案した。
【０００５】
【特許文献１】特開２００６−１８８２７２号公報
【発明の開示】
【発明が解決しようとする課題】
【０００６】
上述した折り畳みコンテナーにおいては、側壁に形成された雄ヒンジ部材を構成する支持片の下部にヒンジブロックが形成されており、また、支持片の上部に、持ち上がりを阻止するための係合ブロックが形成されているために、倒された状態の側壁を、垂直方向に立てる際に、係合ブロックが、底部の土手部に当接したり、或いは、土手部に乗り上げる等して、倒された状態の側壁を、迅速に、且つ、確実に、略垂直に立てることができないという問題があった。
【０００７】
また、雄ヒンジ部材を構成する支持片には、ヒンジブロックと係合ブロックとが形成されているために、側壁を成形するための金型が複雑になり、従って、金型のコストが上昇し、ひいては、折り畳みコンテナーの製造コストが上昇するという問題があった。
【０００８】
本発明の目的は、上述した従来の折り畳みコンテナーが有する課題を解決することにある。
【課題を解決するための手段】
【０００９】
本発明は、上述した目的を達成するために、底部と底部の一方の相対する土手部にヒンジ連結された一方の相対する側壁と底部のもう一方の相対する土手部にヒンジ連結されたもう一方の相対する側壁とから構成されている折り畳みコンテナーにおいて、土手部の水平部に形成された長孔と一対の連結孔、内側垂直部に形成された一対の縦長の垂直スリット及び舌片に形成された垂直側壁持ち上がり防止用フックとからなる底部に配設された第１雌ヒンジ部材に、下端フランジに垂下された一対の支持片と架橋ブロックとからなる側壁に配設された雄ヒンジ部材を連結するとともに、土手部の水平部に形成された長孔と一対の連結孔、内側垂直部に形成された一対の縦長の垂直スリット及び舌片に形成された水平側壁持ち上がり防止用フックとからなる底部に配設された第２雌ヒンジ部材に、下端フランジに垂下された一対の支持片と架橋ブロックとからなる側壁に配設された雄ヒンジ部材を連結することにより、底部に側壁をヒンジ連結するように構成したものである。
【発明の効果】
【００１０】
上述した従来の折り畳みコンテナーのように、倒された状態の側壁を、垂直方向に立てる際に、係合ブロックが、底部の土手部に当接したり、或いは、土手部に乗り上げるようなことがなく、従って、倒された状態の側壁を、迅速に、且つ、確実に、略垂直に立てることができる。
【００１１】
側壁に配設された雄ヒンジ部材の支持片には、単に、架橋ブロックのみが形成されており、上述した特許文献１に記載されているような係合ブロックが形成されていないので、支持片の下端フランジからの長さを短くすることができ、従って、雄ヒンジ部材が損傷するようなことを防止することができる。
【００１２】
更に、雄ヒンジ部材の支持片には、上述した特許文献１に記載されているような係合ブロックが形成されていないので、側壁を成形するための金型の製造コストを低減することができる。
【実施例】
【００１３】
以下に、本発明の実施例について説明するが、本発明の趣旨を越えない限り、何ら、本実施例に限定されるものではない。
【００１４】
先ず最初に、図１〜図４を用いて、本発明の折り畳みコンテナーの全体構成について説明する。
【００１５】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、高く形成されている。
【００１６】
長辺側土手部１ａは、底部１の板部１ｃの長辺に略垂直な内側垂直部１ａ１と、内側垂直部１ａ１の上端から外側に略水平に延在する水平部１ａ２と、水平部１ａ２の先端から、下方に略垂直に延在する外側垂直部１ａ３とから構成されており、長辺側土手部１ａの長手方向に対して垂直な断面が、略逆Ｕ字状に形成されている。同様に、短辺側土手部１ｂも、底部１の板部１ｃの短辺に略垂直な内側垂直部１ｂ１と、内側垂直部１ｂ１の上端から外側に略水平に延在する水平部１ｂ２と、水平部１ｂ２の先端から、下方に略垂直に延在する外側垂直部１ｂ３とから構成されており、短辺側土手部１ｂの長手方向に対して垂直な断面も、略逆Ｕ字状に形成されている。
【００１７】
底部１の長辺側土手部１ａには、後述する第１雌ヒンジ部材Ｈ１’及び第２雌ヒンジ部材Ｈ１”が配設されており、また、底部１の短辺側土手部１ｂにも、同様の第１雌ヒンジ部材Ｈ１’及び第２雌ヒンジ部材Ｈ１”が配設されている。
【００１８】
図３に示されているように、折り畳まれた状態から、図１に示されているように、箱型に組み立てるには、先ず最初に、図２に示されているように、水平状態の長側壁２を、略垂直に立て、次いで、水平状態の短側壁３を、略垂直に立てることにより、折り畳みコンテナーが、箱型に組み立てられることになる。また、箱型に組み立てられた折り畳みコンテナーを、折り畳むには、先ず最初に、図２に示されているように、短側壁３を底部１に重なるように倒し、次いで、長側壁２を、先に倒された短側壁３に重なるように倒すことにより、折り畳みコンテナーが、折り畳まれることになる。
【００１９】
折り畳まれた状態においては、長側壁２の先端部が、互いに部分的に重なり合うように構成されており、同様に、短側壁３の先端部も、互いに部分的に重なり合うように構成されている。
【００２０】
次に、図５及び図６を用いて、底部１の長辺側土手部１ａ及び短辺側土手部１ｂに配設されている第１雌ヒンジ部材Ｈ１’について説明する。以下においては、長辺側土手部１ａに配設されている第１雌ヒンジ部材Ｈ１’について説明し、短辺側土手部１ｂに配設されている第１雌ヒンジ部材Ｈ１’については、実質的に同じであるので、その詳細な説明は省略する。
【００２１】
長辺側土手部１ａの水平部１ａ２には、長辺側土手部１ａの長手方向に沿って、横長の長孔ｈ１が形成されている。また、長孔ｈ１の長手方向の両端部に位置する水平部１ａ２には、長孔ｈ１に連通されているとともに、内側垂直部１ａ１まで達する一対の連結孔ｈ２が形成されている。更に、内側垂直部１ａ１には、その上端部が、連結孔ｈ２に連通されているとともに、水平部１ａ２から底部１の板部１ｃ方向に延在する一対の縦長の垂直スリットｈ３が形成されている。
【００２２】
上述したように、内側垂直部１ａ１に所定の間隔を置いて、一対の垂直スリットｈ３を形成することにより、一対の垂直スリットｈ３間には、略方形状の舌片ｈ４が形成されることになる。舌片ｈ４の内面（外側垂直部１ａ３と対向する面）ｈ４ａの上端部には、ブロック状のフックｈ５が突設されている。このフックｈ５は、垂直状態に立てられた状態の長側壁２の持ち上がりを防止するためのものであり、以下、このフックｈ５を、便宜的に、垂直側壁持ち上がり防止用フックと称する。
【００２３】
長辺側土手部１ａの水平部１ａ２に形成された横長の長孔ｈ１と一対の連結孔ｈ２、内側垂直部１ａ１に形成された一対の縦長の垂直スリットｈ３及び舌片ｈ４の内面ｈ４ａの上端部に形成された垂直側壁持ち上がり防止用フックｈ５とにより、第１雌ヒンジ部材Ｈ１’が構成されている。
【００２４】
次に、図７及び図８を用いて、底部１の長辺側土手部１ａ及び短辺側土手部１ｂに配設されている第２雌ヒンジ部材Ｈ１”について説明する。以下においては、長辺側土手部１ａに配設されている第２雌ヒンジ部材Ｈ１”について説明し、短辺側土手部１ｂに配設されている第２雌ヒンジ部材Ｈ１”については、実質的に同じであるので、その詳細な説明は省略する。
【００２５】
上述した第１雌ヒンジ部材Ｈ１’と同様に、長辺側土手部１ａの水平部１ａ２には、長辺側土手部１ａの長手方向に沿って、横長の長孔ｈ１が形成されており、また、長孔ｈ１の長手方向の両端部に位置する水平部１ａ２には、長孔ｈ１に連通されているとともに、内側垂直部１ａ１まで達する一対の連結孔ｈ２が形成されている。更に、内側垂直部１ａ１には、その上端部が、連結孔ｈ２に連通されているとともに、水平部１ａ２から底部１の板部１ｃ方向に延在する一対の縦長の垂直スリットｈ３が形成されている。
【００２６】
上述したように、内側垂直部１ａ１に所定の間隔を置いて、一対の垂直スリットｈ３を形成することにより、一対の垂直スリットｈ３間には、略方形状の舌片ｈ４が形成されることになる。舌片ｈ４の内面（外側垂直部１ａ３と対向する面）ｈ４ａの上端部には、ブロック状のフックｈ６が突設されている。このフックｈ６は、水平状態に倒された状態の長側壁２の持ち上がりを防止するためのものであり、以下、このフックｈ６を、便宜的に、水平側壁持ち上がり防止用フックと称する。
【００２７】
上述したように、第１雌ヒンジ部材Ｈ１’と第２雌ヒンジ部材Ｈ１”とは、第１雌ヒンジ部材Ｈ１’の舌片ｈ４の内面ｈ４ａには、垂直側壁持ち上がり防止用フックｈ５が突設されているのに対して、第２雌ヒンジ部材Ｈ１”の舌片ｈ４の内面ｈ４ａには、水平側壁持ち上がり防止用フックｈ６が突設されている点でのみ相違し、その他の構成は同じであるので、第１雌ヒンジ部材Ｈ１’及び第２雌ヒンジ部材Ｈ１”に共通の構成、例えば、長孔ｈ１や一対の連結孔ｈ２や内側垂直部１ａ１に形成された一対の縦長の垂直スリットｈ３や舌片ｈ４には、同じ符号が付されている。
【００２８】
長辺側土手部１ａの水平部１ａ２に形成された横長の長孔ｈ１と一対の連結孔ｈ２、内側垂直部１ａ１に形成された一対の縦長の垂直スリットｈ３及び舌片ｈ４の内面ｈ４ａの上端部に形成された水平側壁持ち上がり防止用フックｈ６とにより、第２雌ヒンジ部材Ｈ１”が構成されている。
【００２９】
底部１の長辺側土手部１ａに形成されている複数の雌ヒンジ部材のうち、幾つかの雌ヒンジ部材が、第１雌ヒンジ部材Ｈ１’として構成され、また、他の幾つかの雌ヒンジ部材が、第２雌ヒンジ部材Ｈ１”として構成されている。同様に、底部１の短辺側土手部１ｂに形成されている複数の雌ヒンジ部材のうち、幾つかの雌ヒンジ部材が、第１雌ヒンジ部材Ｈ１’として構成され、また、他の幾つかの雌ヒンジ部材が、第２雌ヒンジ部材Ｈ１”として構成されている。
【００３０】
図４には、底部１の長辺側土手部１ａに配設されている４つの雌ヒンジ部材のうち、両端部付近に位置する２つの雌ヒンジ部材が、第１雌ヒンジ部材Ｈ１’として構成され、中央部に位置する２つの雌ヒンジ部材が、第２雌ヒンジ部材Ｈ１”として構成されている例が示されており、また、底部１の短辺側土手部１ｂに形成されている２つの雌ヒンジ部材のうち、一方の雌ヒンジ部材が、第１雌ヒンジ部材Ｈ１’として構成され、もう一方の雌ヒンジ部材が、第２雌ヒンジ部材Ｈ１”として構成されている例が示されている。
【００３１】
底部１の長辺側土手部１ａに形成される雌ヒンジ部材の個数は、２個以上であればよく、必要に応じて、それ以上、設けることができ、同様に、底部１の短辺側土手部１ｂに形成される雌ヒンジ部材の個数も、２個以上であればよく、必要に応じて、それ以上、設けることができる。
【００３２】
２は、長側壁であり、３は、短側壁であり、長側壁２の下端フランジ２ａ及び短側壁３の下端フランジ３ａには、雄ヒンジ部材Ｈ２が配設されている。なお、本実施例においては、長側壁２の下端フランジ２ａに配設されている雄ヒンジ部材と短側壁３の下端フランジ３ａに配設されている雄ヒンジ部材とは同一構造を有している。
【００３３】
次に、図９及び図１０を用いて、雄ヒンジ部材Ｈ２について説明する。なお、上述したように、長側壁２の下端フランジ２ａに配設されている雄ヒンジ部材Ｈ２と短側壁３の下端フランジ３ａに配設されている雄ヒンジ部材Ｈ２とは同一構造を有しているので、以下には、長側壁２に配設されている雄ヒンジ部材Ｈ２について説明する。
【００３４】
長側壁２の板状部２ｂに垂直な下端フランジ２ａの裏面には、雄ヒンジ部材Ｈ２が配設されており、雄ヒンジ部材Ｈ２は、下端フランジ２ａの裏面に、所定の間隔を置いて垂下された、縦長の略長方形状の板状の支持片ｈ１０を有している。一対の支持片ｈ１０の下端部ｈ１０ａは、略半円形状に形成されているとともに、支持片ｈ１０は、長側壁２の板状部２ｂに対して、垂直に垂下されている。  
【００３５】
下端フランジ２ａの裏面に垂下された一対の支持片ｈ１０の下端部には、一対の支持片ｈ１０を架橋する架橋ブロックｈ１１が形成されている。架橋ブロックｈ１１は、下端フランジ２ａと対向するとともに下端フランジ２ａに略平行な上面ｈ１１ａを有しており、また、長側壁２の板状部２ｂ側に位置する上面ｈ１１ａには、角柱状の当接ブロック部ｈ１１ｂが形成されている。また、上面ｈ１１ａと相対する架橋ブロックｈ１１の下面ｈ１１ｃは、支持片ｈ１０の略半円形状の下端部ｈ１０ａに沿って、円弧面状に形成されている。
【００３６】
上述した長側壁２の下端フランジ２ａの裏面に垂下された一対の支持片ｈ１０及び一対の支持片ｈ１０を架橋する架橋ブロックｈ１１とにより、雄ヒンジ部材Ｈ２が構成されている。
【００３７】
長側壁２の下端フランジ２ａには、底部１の長辺側土手部１ａに配設された第１雌ヒンジ部材Ｈ１’及び第２雌ヒンジ部材Ｈ１”に対応して、雄ヒンジ部材Ｈ２が配設されており、同様に、短側壁３の下端フランジ３ａにも、底部１の短辺側土手部１ｂに配設された第１雌ヒンジ部材Ｈ１’及び第２雌ヒンジ部材Ｈ１”に対応して、雄ヒンジ部材Ｈ２が配設されている。
【００３８】
長側壁２の下端フランジ２ａに配設された雄ヒンジ部材Ｈ２と底部１の長辺側土手部１ａに配設された第１雌ヒンジ部材Ｈ１’とを連結するとともに、長側壁２の下端フランジ２ａに配設された雄ヒンジ部材Ｈ２と底部１の長辺側土手部１ａに配設された第２雌ヒンジ部材Ｈ１”とを連結することにより、長側壁２が、底部１にヒンジ連結され、また、短側壁３の下端フランジ３ａに配設された雄ヒンジ部材Ｈ２と底部１の短辺側土手部１ｂに配設された第１雌ヒンジ部材Ｈ１’とを連結するとともに、短側壁３の下端フランジ３ａに配設された雄ヒンジ部材Ｈ２と底部１の短辺側土手部１ｂに配設された第２雌ヒンジ部材Ｈ１”とを連結することにより、短側壁３が、底部１にヒンジ連結されて、折り畳みコンテナーが構成されることになる。
【００３９】
箱型に組み立てられた折り畳みコンテナーを折り畳む際には、先ず最初に、相対する短側壁３のうち、一方の短側壁３を、底部１に重なるように倒し、次いで、もう一方の短側壁３を、先に倒された短側壁３の上に、その先端部同士が互いに重なるように、略水平に倒す。次いで、相対する長側壁２のうち、一方の長側壁２を、相対する短側壁３のうち、後から倒された略水平な短側壁３の上に、略水平に倒し、その後、相対する長側壁２のうち、もう一方の長側壁２を、先に倒された長側壁２の上に、その先端部同士が互いに重なるように、略水平に倒す。このようにして、図１に示されている箱型に組み立てられた折り畳みコンテナーが、図３に示されているように、折り畳まれることになる。
【００４０】
底部１の長辺側土手部１ａに配設された第１雌ヒンジ部材Ｈ１’及び第２雌ヒンジ部材Ｈ１”を構成する、長辺側土手部１ａの内側垂直部１ａ１に形成された垂直スリットｈ３の深さ（長辺側土手部１ａの水平部１ａ２から垂直スリットｈ３の下端ｈ３ａまでの距離）は、長側壁２に配設された雄ヒンジ部材Ｈ２を構成する支持片ｈ１０の幅（長側壁２の板状部２ｂに対して垂直方向の長さ）の略２倍の深さを有するように構成されており、従って、長側壁２が倒された水平状態においては、長側壁２に配設された雄ヒンジ部材Ｈ２の支持片ｈ１０は、底部１の長辺側土手部１ａに配設された雌ヒンジ部材Ｈ１の内側垂直部１ａ１に形成された垂直スリットｈ３に沿って、上下動するように構成されており、換言すれば、水平状態の長側壁２は、垂直スリットｈ３に沿って、上下動することができるように構成されている。また、相対する長側壁２のうち、先に倒された長側壁２に配設された雄ヒンジ部材Ｈ２の支持片ｈ１０は、底部１の長辺側土手部１ａに配設された第１雌ヒンジ部材Ｈ１’及び第２雌ヒンジ部材Ｈ１”の内側垂直部１ａ１に形成された垂直スリットｈ３の下半分に位置し、相対する長側壁２のうち、後から倒された長側壁２に配設された雄ヒンジ部材Ｈ２の支持片ｈ１０は、底部１の長辺側土手部１ａに配設された第１雌ヒンジ部材Ｈ１’及び第２雌ヒンジ部材Ｈ１”の内側垂直部１ａ１に形成された垂直スリットｈ３の上半分に位置することになる。
【００４１】
相対する略垂直に立てられた長側壁２のうち、最初に倒される一方の長側壁２を、相対する短側壁３のうち、後から倒された略水平な短側壁３の上に、略水平に倒した際には、図１１の右側に示されているように、一方の長側壁２に配設された雄ヒンジ部材Ｈ２を構成する架橋ブロックｈ１１が、底部１の長辺側土手部１ａに配設された第２雌ヒンジ部材Ｈ１”を構成する水平側壁持ち上がり防止用フックｈ６の下方に位置するように構成されている。また、先に倒された一方の長側壁２の上に、その先端部同士が互いに重なるように、もう一方の長側壁２を、略水平に倒した際には、図１１の左側に示されているように、後から略水平に倒されたもう一方の長側壁２の下端フランジ２ａに配設された雄ヒンジ部材Ｈ２の架橋ブロックｈ１１を構成する当接ブロック部ｈ１１ｂが、底部１の長辺側土手部１ａに配設された第２雌ヒンジ部材Ｈ１”の水平側壁持ち上がり防止用フックｈ６の庇部ｈ６ａに当接、或いは、接近して位置するように構成されている。従って、折り畳みコンテナーが、折り畳まれた状態において、一番上に位置する、もう一方の長側壁２が持ち上げられても、後から倒されたもう一方の長側壁２に配設された雄ヒンジ部材Ｈ２の架橋ブロックｈ１１を構成する当接ブロック部ｈ１１ｂが、底部１の長辺側土手部１ａに配設された第２雌ヒンジ部材Ｈ１”の水平側壁持ち上がり防止用フックｈ６の庇部ｈ６ａに当接するので、もう一方の長側壁２のそれ以上の持ち上がりが阻止されることになる。
【００４２】
また、相対する略垂直に立てられた長側壁２のうち、最初に倒される一方の長側壁２を、相対する短側壁３のうち、後から倒された略水平な短側壁３の上に、略水平に倒した際には、図１２の右側に示されているように、一方の長側壁２に配設された雄ヒンジ部材Ｈ２を構成する架橋ブロックｈ１１が、底部１の長辺側土手部１ａに配設された第１雌ヒンジ部材Ｈ１’を構成する垂直側壁持ち上がり防止用フックｈ５の下方に位置するように構成されている。また、先に倒された一方の長側壁２の上に、その先端部同士が互いに重なるように、もう一方の長側壁２を、略水平に倒した際には、図１２の左側に示されているように、後から略水平に倒されたもう一方の長側壁２の下端フランジ２ａに配設された雄ヒンジ部材Ｈ２の架橋ブロックｈ１１が、底部１の長辺側土手部１ａに配設された第１雌ヒンジ部材Ｈ１’を構成する垂直側壁持ち上がり防止用フックｈ５と底部１の長辺側土手部１ａを構成する外側垂直部１ａ３との間に位置するように構成されている。
【００４３】
長側壁２が、略垂直に立てられた際には、図１３に示されているように、長側壁２の下端フランジ２ａが、底部１を構成する長辺側土手部１ａの水平部１ａ２に載置されるとともに、長側壁２に配設された雄ヒンジ部材Ｈ２を構成する架橋ブロックｈ１１の当接ブロック部ｈ１１ｂが、底部１の長辺側土手部１ａに配設された第１雌ヒンジ部材Ｈ１’を構成する垂直側壁持ち上がり防止用フックｈ５の庇部ｈ５ａに当接、或いは、接近して位置するように構成されている。垂直状態の長側壁２が上方への持ち上げられた際には、長側壁２に配設された雄ヒンジ部材Ｈ２を構成する架橋ブロックｈ１１の当接ブロック部ｈ１１ｂが、底部１の長辺側土手部１ａに配設された第１雌ヒンジ部材Ｈ１’を構成する垂直側壁持ち上がり防止用フックｈ５の庇部ｈ５ａに当接し、長側壁２のそれ以上の持ち上がりが阻止されるので、従って、底部１と垂直状態の長側壁２とのヒンジ連結が解除されるようなことがない。
【００４４】
なお、長側壁２が、略垂直に立てられた際には、図１４に示されているように、長側壁２の下端フランジ２ａが、底部１を構成する長辺側土手部１ａの水平部１ａ２に載置されるとともに、長側壁２に配設された雄ヒンジ部材Ｈ２を構成する架橋ブロックｈ１１の当接ブロック部ｈ１１ｂが、底部１の長辺側土手部１ａに配設された第２雌ヒンジ部材Ｈ１”を構成する水平側壁持ち上がり防止用フックｈ６の下方に位置するように構成されている。
【００４５】
上述したように、長辺側土手部１ａの水平部１ａ２に形成された横長の長孔ｈ１と一対の連結孔ｈ２、内側垂直部１ａ１に形成された一対の縦長の垂直スリットｈ３及び舌片ｈ４の内面ｈ４ａの上端部に形成された垂直側壁持ち上がり防止用フックｈ５とからなる底部１に配設された第１雌ヒンジ部材Ｈ１’に、下端フランジ２ａの裏面に垂下された一対の支持片ｈ１０と一対の支持片ｈ１０を架橋する架橋ブロックｈ１１とからなる長側壁２に配設された雄ヒンジ部材Ｈ２を連結するとともに、長辺側土手部１ａの水平部１ａ２に形成された横長の長孔ｈ１と一対の連結孔ｈ２、内側垂直部１ａ１に形成された一対の縦長の垂直スリットｈ３及び舌片ｈ４の内面ｈ４ａの上端部に形成された水平側壁持ち上がり防止用フックｈ６とからなる底部１に配設された第２雌ヒンジ部材Ｈ１”に、下端フランジ２ａの裏面に垂下された一対の支持片ｈ１０と一対の支持片ｈ１０を架橋する架橋ブロックｈ１１とからなる長側壁２に配設された雄ヒンジ部材Ｈ２を連結することにより、底部１に長側壁２をヒンジ連結するように構成されているので、上述した特許文献１に記載されているような、支持片の下端部に、ヒンジブロックが形成され、また、ヒンジブロックの上方に、係合ブロックが形成されている雄ヒンジ部材のように、倒された状態の側壁を、垂直方向に立てる際に、係合ブロックが、底部の土手部に当接したり、或いは、土手部に乗り上げるようなことがなく、従って、倒された状態の長側壁２を、迅速に、且つ、確実に、略垂直に立てることができる。
【００４６】
また、長側壁２に配設されている雄ヒンジ部材Ｈ２を構成する支持片ｈ１０には、一対の支持片ｈ１０を架橋する架橋ブロックｈ１１が形成されているだけであるので、支持片ｈ１０の長側壁２の下端フランジ２ａからの長さを短くすることができ、従って、支持片ｈ１０、ひいては、雄ヒンジ部材Ｈ２が損傷するようなことを防止することができる。
【００４７】
更に、雄ヒンジ部材Ｈ２の支持片ｈ１０には、一対の支持片ｈ１０を架橋する架橋ブロックｈ１１が形成されているだけであり、上述した特許文献１に記載されているような係合ブロックが形成されていないので、長側壁２を成形するための金型の製造コストを低減することができる。
【００４８】
また、底部１の長辺側土手部１ａに配設されている第１雌ヒンジ部材Ｈ１’を構成する垂直側壁持ち上がり防止用フックｈ５の下端角部ｈ５ｂは、略直角な角部ではなく、傾斜面や湾曲面に形成されている。この下端角部ｈ５ｂを、下端角部湾曲面ｈ５ｂと称する。
【００４９】
上述したように、底部１の長辺側土手部１ａに配設されている第１雌ヒンジ部材Ｈ１’を構成する垂直側壁持ち上がり防止用フックｈ５に、下端角部湾曲面ｈ５ｂが形成されているので、図１２に示されている水平状態の長側壁２を、図１３に示されているように、略垂直に立てる長側壁２の回動過程において、長側壁２に配設されている雄ヒンジ部材Ｈ２を構成する架橋ブロックｈ１１の当接ブロック部ｈ１１ｂが、第１雌ヒンジ部材Ｈ１’を構成する垂直側壁持ち上がり防止用フックｈ５の下端角部湾曲面ｈ５ｂに当接するとともに、雄ヒンジ部材Ｈ２を構成する架橋ブロックｈ１１が、底部１の長辺側土手部１ａを構成する外側垂直壁１ａ３に当接していることによる反力により、雄ヒンジ部材Ｈ２を構成する架橋ブロックｈ１１の当接ブロック部ｈ１１ｂが、第１雌ヒンジ部材Ｈ１’を構成する垂直側壁持ち上がり防止用フックｈ５の下端角部湾曲面ｈ５ｂに沿って、第１雌ヒンジ部材Ｈ１’を構成する垂直側壁持ち上がり防止用フックｈ５の庇部ｈ５ａに入り込むことができる。従って、水平状態の長側壁２を、略垂直に立てる際に、長側壁２に配設されている雄ヒンジ部材Ｈ２を構成する架橋ブロックｈ１１の当接ブロック部ｈ１１ｂが、底部１の長辺側土手部１ａに配設されている第１雌ヒンジ部材Ｈ１’を構成する垂直側壁持ち上がり防止用フックｈ５の庇部ｈ５ａに、円滑に、入り込み、長側壁２の垂直方向への回動が阻止されるようなことがない。
【図面の簡単な説明】
【００５０】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーを構成する底部の斜視図である。
【図５】図５は、本発明の折り畳みコンテナーを構成する底部に配設された第１雌ヒンジ部材の拡大斜視図である。
【図６】図６は、同じく、本発明の折り畳みコンテナーを構成する底部に配設された第１雌ヒンジ部材の拡大斜視図である。
【図７】図７は、本発明の折り畳みコンテナーを構成する底部に配設された第２雌ヒンジ部材の拡大斜視図である。
【図８】図８は、同じく、本発明の折り畳みコンテナーを構成する底部に配設された第２雌ヒンジ部材の拡大斜視図である。
【図９】図９は、本発明の折り畳みコンテナーを構成する長側壁に配設された雄ヒンジ部材の拡大斜視図である。
【図１０】図１０は、同じく、本発明の折り畳みコンテナーを構成する長側壁に配設された雄ヒンジ部材の拡大斜視図である。
【図１１】図１１は、本発明の折り畳みコンテナーが折り畳まれた状態の短側壁に沿った部分垂直断面図である。
【図１２】図１２は、同じく、本発明の折り畳みコンテナーが折り畳まれた状態の短側壁に沿った部分垂直断面図である。
【図１３】図１３は、本発明の折り畳みコンテナーが箱型に組み立てられた状態の底部の第１雌ヒンジ部材と長側壁の雄ヒンジ部材とによるヒンジ連結部の部分垂直断面図である。
【図１４】図１４は、本発明の折り畳みコンテナーが箱型に組み立てられた状態の底部の第２雌ヒンジ部材と長側壁の雄ヒンジ部材とによるヒンジ連結部の部分垂直断面図である。
【符号の説明】
【００５１】
Ｈ１’・・・・・・・・・・・・・第１雌ヒンジ部材
Ｈ１”・・・・・・・・・・・・・第２雌ヒンジ部材
Ｈ２・・・・・・・・・・・・・・雄ヒンジ部材
ｈ１・・・・・・・・・・・・・・長孔
ｈ２・・・・・・・・・・・・・・連結孔
ｈ３・・・・・・・・・・・・・・垂直スリット
ｈ４・・・・・・・・・・・・・・舌片
ｈ５・・・・・・・・・・・・・・垂直側壁持ち上がり防止用フック
ｈ６・・・・・・・・・・・・・・水平側壁持ち上がり防止用フック
ｈ１０・・・・・・・・・・・・・支持片
ｈ１１・・・・・・・・・・・・・架橋ブロック
ｈ１１ｂ・・・・・・・・・・・・当接ブロック部
１・・・・・・・・・・・・・・・底部
１ａ・・・・・・・・・・・・・・長辺側土手部
１ｂ・・・・・・・・・・・・・・短辺側土手部
２・・・・・・・・・・・・・・・長側壁
３・・・・・・・・・・・・・・・短側壁
【図１】
0004944729.tif 000002
【図２】
0004944729.tif 000003
【図３】
0004944729.tif 000004
【図４】
0004944729.tif 000005
【図５】
0004944729.tif 000006
【図６】
0004944729.tif 000007
【図７】
0004944729.tif 000008
【図８】
0004944729.tif 000009
【図９】
0004944729.tif 000010
【図１０】
0004944729.tif 000011
【図１１】
0004944729.tif 000012
【図１２】
0004944729.tif 000013
【図１３】
0004944729.tif 000014
【図１４】
0004944729.tif 000015